(57)【要約】【課題】  タンクを解体することなく設置及び取り外しをすることができる整流器、及び、それを用いた貯液装置を提供することを目的とする。【解決手段】  整流器２は、固定部２０と中棒部３０と傘部４０とを有し、傘部４０は、中棒部３０の長手方向に垂直な方向に沿って中棒部３０に向かって加えられる力により中棒部３０の他方の端部３２を基準として一方の端部３１側に閉じる第１閉状態と、中棒部３０に向かって加えられる力が解放されることで、中棒部３０の長手方向に沿った断面において、中棒部３０と傘部４０とが鋭角となるように開く開状態と、中棒部３０の一方の端部３１から他方の端部３２に向かう方向の力が傘部４０に加えられることで、他方の端部３２を基準として一方の端部３１側と反対側に閉じる第２閉状態と、に変形する。【選択図】    図２
2015127551.tif 000002
【特許請求の範囲】
【請求項１】
タンクの注水部から注水される液体を整流する整流器であって、
前記注水部に固定される固定部と、
一方の端部が前記固定部に接続されると共に前記固定部が前記注水部に固定された状態で他方の端部が前記タンク内に位置する中棒部と、
前記中棒部の前記他方の端部に係止される傘部と、
を有し、
前記傘部は、
前記中棒部に向かって加えられる力により前記他方の端部を基準として前記一方の端部側に閉じる第１閉状態と、
前記中棒部に向かって加えられる力が解放されることで、前記中棒部と前記傘部とが鋭角となるように開く開状態と、
前記中棒部の前記一方の端部から前記他方の端部に向かう方向の力が前記傘部に加えられることで、前記他方の端部を基準として前記一方の端部側と反対側に閉じる第２閉状態と、
に変形する
ことを特徴とする整流器。
【請求項２】
前記傘部は樹脂からなり、
前記傘部は前記樹脂の弾性力により第１閉状態から開状態とされる
ことを特徴とする請求項１に記載の整流器。
【請求項３】
前記傘部には、前記他方の端部に係止される部位を中心として、放射状に広がると共に山折と谷折とが交互に位置する複数の折り目が形成される
ことを特徴とする請求項２に記載の整流器。
【請求項４】
前記傘部が前記タンク内で開状態とされた状態で前記中棒部を所定の力で引き抜くことにより、前記傘部は前記開状態から第２閉状態とされる
ことを特徴とする請求項１から３のいずれか１項に記載の整流器。
【請求項５】
注水部を有するタンクと、
前記注水部から注水される液体を整流する整流器と、
を備え、
前記整流器は、前記注水部に固定される固定部と、一方の端部が前記固定部に接続されると共に前記固定部が前記注水部に固定された状態で他方の端部が前記タンク内に位置する中棒部と、前記中棒部の前記他方の端部に係止される傘部と、を有し、
前記傘部は、
前記中棒部に向かって加えられる力により前記他方の端部を基準として前記一方の端部側に閉じる第１閉状態と、
前記中棒部に向かって加えられる力が解放されることで、前記中棒部と前記傘部とが鋭角となるように開く開状態と、
前記中棒部の前記一方の端部から前記他方の端部に向かう方向の力が前記傘部に加えられることで、前記他方の端部を基準として前記一方の端部側と反対側に閉じる第２閉状態と、
に変形する
ことを特徴とする貯液装置。
【発明の詳細な説明】
【技術分野】
【０００１】
本発明は、タンクを解体することなく設置及び取り外しをすることができる整流器、及び、それを用いた貯液装置に関する。
【背景技術】
【０００２】
ガスや電気等を用いて沸かした湯を貯めるタンクを備える貯湯装置や、車両用蓄熱システムに用いられ高温の流体を貯めるタンクを備える貯液装置が知られている。これらのタンク内には、注水口から注水される水等の液体とタンク内に貯めている液体とが混ざり合うことを抑制するために、タンク内に注水される液体の勢いを抑えるための整流板が設けられることがある。
【０００３】
しかし、例えば、タンクが樹脂から成りブロー成形によって形成される場合には、整流板をタンク内に設けることが困難である。また、既存のタンク内に整流板を設けたい場合がある。これらの場合にタンクを解体せずに整流板を設けたいという要請がある。
【０００４】
下記特許文献１には、完成したタンク内に後から設けることができる整流板が記載されている。この整流板は、傘状の形状をしており、傘の骨に相当する傘骨体と、傘の小間（布部分）に相当する整流板部と、傘の中棒（柄）に相当するセンターパイプとを備える。そして、整流板部を傘が畳まれた様な状態に畳んでタンク内に挿入する。整流板部が挿入された後において、タンク内にて傘が広げられた様な状態に整流板部を広げる。タンク内において整流板部が広げられることで、タンク内に注水される液体と注水の前からタンク内に入っている液体とが混ざることを整流板部が抑制する。
【先行技術文献】
【特許文献】
【０００５】
【特許文献１】特開２００９−４７３５２号公報
【発明の概要】
【発明が解決しようとする課題】
【０００６】
ところで、貯液装置のタンクは内部洗浄等のメンテナンスを施される場合がある。このため、上記のようにタンクの完成後にタンク内に整流板を設置できるのみならず、整流板をタンク内から取り外したいという要請がある。しかし、特許文献１に記載の整流板部は、畳んだ状態から広げられた状態にされてタンク内に設置されると、再び畳むことができず、上記要請に応えることができない。
【０００７】
そこで、本発明は、タンクを解体することなく設置及び取り外しをすることができる整流器、及び、それを用いた貯液装置を提供することを目的とする。
【課題を解決するための手段】
【０００８】
上記課題を解決するため、本発明は、タンクの注水部から注水される液体を整流する整流器であって、前記注水部に固定される固定部と、一方の端部が前記固定部に接続されると共に前記固定部が前記注水部に固定された状態で他方の端部が前記タンク内に位置する中棒部と、前記中棒部の前記他方の端部に係止される傘部と、を有し、前記傘部は、前記中棒部に向かって加えられる力により前記他方の端部を基準として前記一方の端部側に閉じる第１閉状態と、前記中棒部に向かって加えられる力が解放されることで、前記中棒部と前記傘部とが鋭角となるように開く開状態と、前記中棒部の前記一方の端部から前記他方の端部に向かう方向の力が前記傘部に加えられることで、前記他方の端部を基準として前記一方の端部側と反対側に閉じる第２閉状態と、に変形することを特徴とするものである。
【０００９】
このような整流器によれば、傘部に第１閉状態となるような力を加えて、傘部が第１閉状態とされた状態で、タンクに設けられる注水部の注水口を通じて、中棒部の他方の端部側からタンク内に傘部を挿入することができる。その後、当該力が加えられなくなることで、傘部が開状態とされる。傘部が開状態とされ固定部が注水部に固定されることで、タンクの注水部から注水される液体の勢いを傘部が抑えることができる。こうして傘部は整流板として働くことができる。また、傘部に第２状態とされる力が加えられることで、傘部は中棒部の他方の端部を基準として第１閉状態と反対側に閉じる第２閉状態とされ、タンク内から整流器を抜き取ることができる。このとき傘部は中棒部の他方の端部に係止される部位側からタンク外に抜き取られる。従って、傘部の縁がタンクの内面に引っ掛かり整流器がタンク内から取り外せなくなることを防止することができる。このようにして、本発明の整流器によれば、タンクを解体することなく設置及び取り外しをすることができるのである。
【００１０】
このように前記傘部が前記第１閉状態から前記開状態とされるためには、前記傘部は樹脂からなり、前記傘部は前記樹脂の弾性力により第１閉状態から開状態とされることが好ましい。
【００１１】
このように弾性力で傘部が開くことで、特別な機構を用いずとも容易に傘部を第１閉状態から開状態にすることができる。なお、傘部がこのような構成とされることで、傘部が開状態から第２閉状態に変形する際に、傘部は弾性変形するので、傘部が破損することを抑制することができる。
【００１２】
また、前記傘部には、前記他方の端部に係止される部位を中心として、放射状に広がると共に山折と谷折とが交互に位置する複数の折り目が形成されることが好ましい。
【００１３】
このような複数の折り目が形成されることで、容易に第１閉状態、第２閉状態とすることができる。また、タンク内で開状態において注水口から水流圧を受ける場合であっても、折り目により変形することを抑制することができる。
【００１４】
また、前記傘部が前記タンク内で開状態とされた状態で前記中棒部を所定の力で引き抜くことにより、前記傘部は前記開状態から第２閉状態とされることが好ましい。
【００１５】
傘部が開状態とされた整流器を引き抜こうとすることで、傘部の縁がタンク内部に引っ掛かり、傘部には、固定部から傘係止部に向かう方向の力がかかる。従って、傘部は開状態から第２閉状態とされる。このように中棒部を引き抜くだけで整流器の取り外しを行うことができるので、容易に整流器の取り外しを行うことができる。
【００１６】
また、上記課題を解決するため、本発明の貯液装置は、注水部を有するタンクと、前記注水部から注水される液体を整流する整流器と、を備え、前記整流器は、前記注水部に固定される固定部と、一方の端部が前記固定部に接続されると共に前記固定部が前記注水部に固定された状態で他方の端部が前記タンク内に位置する中棒部と、前記中棒部の前記他方の端部に係止される傘部と、を有し、前記傘部は、前記中棒部に向かって加えられる力により前記他方の端部を基準として前記一方の端部側に閉じる第１閉状態と、前記中棒部に向かって加えられる力が解放されることで、前記中棒部と前記傘部とが鋭角となるように開く開状態と、前記中棒部の前記一方の端部から前記他方の端部に向かう方向の力が前記傘部に加えられることで、前記他方の端部を基準として前記一方の端部側と反対側に閉じる第２閉状態と、に変形することを特徴とするものである。
【００１７】
このような貯液装置は、タンクを解体することなく、整流器の設置及び取り外しをすることができるので、タンク内部の清掃等のメンテナンス性に優れている。
【発明の効果】
【００１８】
以上のように、本発明によれば、タンクを解体することなく設置及び取り外しをすることができる整流器、及び、それを用いた貯液装置が提供される。
【図面の簡単な説明】
【００１９】
【図１】本発明の実施形態に係る貯液装置を示す図である。
【図２】タンクに設置された整流器の様子を示す図である。
【図３】下部注水部からタンク本体内に注水を行う場合の水流を示す図である。
【図４】整流器をタンクに設置する途中の様子を示す図である。
【図５】整流器をタンクから取り外す途中の様子を示す図である。
【発明を実施するための形態】
【００２０】
以下、本発明に係る整流器、及び、それを用いた貯液装置の好適な実施形態について図面を参照しながら詳細に説明する。なお、理解の容易のため、それぞれの図に記載のスケールと以下の説明に記載のスケールとが異なる場合がある。
【００２１】
図１は、本発明の実施形態に係る貯液装置を示す図である。図１に示すように、貯液装置１００は、タンク１と整流器２とを主な構成として備える。本実施形態の貯液装置１００は、例えば、貯湯システムに用いられる貯湯装置であり、タンク１内に熱源により沸かした湯水を貯めるものである。
【００２２】
タンク１は、タンク本体１１と、タンク本体１１の下部に設けられる下部注水部１２と、タンク本体１１の上部に設けられる上部注水部１３とを主な構成として有する。タンク本体１１は、縦長の形状をしており、水平方向の断面の形状が円形とされる。下部注水部１２は、タンク本体１１内に短い管が接続された形状とされ、この管の貫通孔が注水口とされる。そして下部注水部１２は、タンク本体１１内に当該注水口から冷水を注水したり、当該冷水をタンク本体１１外に出水するための部位とされる。また、上部注水部１３は、下部注水部１２と同様にタンク本体１１内に短い管が接続された形状とされ、この管の貫通孔が注水口とされる。そして、上部注水部１３は、タンク本体１１内に湯水を注水したり、当該湯水をタンク本体１１外に出水するための部位とされる。
【００２３】
また、本実施形態では、タンク１は多層の樹脂から成り、タンク本体１１及び下部注水部１２及び上部注水部１３がブロー成形により一体に形成されている。例えば、タンク１は、３層の樹脂から成り、内層がポリフェニレンエーテル系樹脂から成り、中間層がポリアミド樹脂を含むポリフェニレンエーテル系樹脂から成り、外層がポリアミド樹脂から成る。
【００２４】
また、タンク１の下部注水部１２には整流器２が固定され、整流器２がタンク１内に位置している。図２は、タンク１に設置された整流器の様子を示す図である。図２に示すように整流器２は、固定部２０と中棒部３０と傘部４０とを主な構成として有する。
【００２５】
固定部２０は、本実施形態では、板状の部材から成り、三角形状の部位２１と、三角形状の部位２１に接続される四角形状の部位２２とを有する。三角形状の部位２１は、一つの辺が四角形状の部位２２の一つの辺に接続されている。四角形状の部位２２の三角形状の部位２１に接続される辺の長さは、接続される三角形状の部位２１の辺の長さよりも長い。従って、固定部２０には、四角形状の部位２２が三角形状の部位２１から突出する突出部２３が形成されている。
【００２６】
中棒部３０は、棒状の部位であり、一方の端部３１が固定部２０に接続されている。具体的には、固定部２０の三角形状の部位２１における四角形状の部位２２と接続される辺と対向する頂点と、中棒部３０の一方の端部３１とが接続されている。中棒部３０の直径は、固定部２０の厚みと略同等とされる。また、中棒部３０の他方の端部３２は、中棒部３０の他の部分よりも直径が大きく形成されている。他方の端部３２には、他方の端部３２の端面から中棒部３０の長手方向に沿って所定の長さ孔が開けられており、当該孔に係止部材３３が嵌入されている。この係止部材３３は、一度中棒部３０の孔内に嵌入されると抜けない構成とされている。
【００２７】
傘部４０は、弾性を有する樹脂製の板材から構成される。本実施形態では、正多角形の樹脂製の板材から形成されている。具体的には、当該正多角形とされる樹脂製の板材の中心４１から放射状に複数の折り目４５が形成されており、傘部４０のそれぞれの頂点（正多角形のそれぞれの頂点）と中心４１とを結ぶ折り目が山折４５ｍとされ、傘部４０のそれぞれの辺（正多角形のそれぞれの辺）の中点と中心４１とを結ぶ折り目が谷折４５ｖとされている。従って、山折４５ｍと谷折４５ｖとは交互に形成されている。そして、傘部４０は、中棒部３０の他方の端部側３２側から中棒部３０に被さるように配置され、係止部材３３により傘部４０の中心４１が中棒部３０の一方の端部３２に係止されている。その結果、図２に示すように、谷折４５ｖとされる部位が山折４５ｍとされる部位よりも中棒部３０の近くに配置され、傘部４０に何ら力が加えられない状況で、中棒部３０の長手方向に沿った断面において、中棒部３０と傘部４０とが鋭角となるように開く開状態とされる。
【００２８】
また、傘部４０は、中棒部３０の長手方向に垂直な方向に沿って中棒部に向かって力が加えられると、それぞれの折り目が更に折られる状態となり、中棒部３０を中心にして畳まれる。つまり、このような力が加えられることで、中棒部３０の他方の端部３２を基準として一方の端部３１側に閉じる第１閉状態とされる。また、傘部４０は、中棒部３０の一方の端部３１から他方の端部３２に向かう方向の力が加えられると、弾性変形をして、一旦最大限に広げられて、更に、上記の第１閉状態と反対側に畳まれる。すなわち、傘部４０は、中棒部３０の他方の端部３２を基準として一方の端部３１側と反対側に閉じる第２閉状態とされる。
【００２９】
傘部４０がこのような変形をするには、上記弾性を有する樹脂が、例えば、ポリエチレン（ＰＥ）、ポリプロピレン（ＰＰ）、ポリスチレン（ＰＳ）、アクリルニトリルブタジエンスチレン共重合体（ＡＢＳ）、酢酸ビニル（ＥＶＡ）、エチルビニルエーテル（ＥＶＥ）、塩化ビニル（ＰＶＣ）、ポリブテン１（ＰＢ）、ポリビニルアルコール（ＰＶＯＨ）、塩化ビニリデン（ＰＶＤＣ）、ポリアミド（ＰＡ）、ポリカーボネイト（ＰＣ）、ポリエチレンテレフタレート（ＰＥＴ）、フッ素樹脂、熱可塑性エラストマー、熱硬化性エラストマーの何れかであれば良い。特に当該樹脂がポリエチレン（ＰＥ）、ポリプロピレン（ＰＰ）、塩化ビニル（ＰＶＣ）、ポリブテン１（ＰＢ）、ポリアミド（ＰＡ）、ポリエチレンテレフタレート（ＰＥＴ）、熱可塑性エラストマー、熱硬化性エラストマーであることが、弾性性能に優れるため、傘部４０が閉状態や開状態とされる復元性能に優れる観点から好ましい。
【００３０】
このような整流器２は、次の様にタンク１に固定されている。図２に示すようにタンク１の下部注水部１２には、管状のノズルジョイント５０が接続されている。ノズルジョイント５０には、管の孔の方向と垂直な方向に切り欠き５１が形成されており、この切り欠き５１に整流器２の固定部２０における突出部２３が嵌め込まれている。そしてノズルジョイント５０の一部が、タンク１の下部注水部１２の注水口１２Ｈ内に挿入されて、ノズルジョイント５０がクイックファスナー５４により下部注水部１２に固定されている。なお、この状態において、ノズルジョイント５０と注水口１２Ｈの内壁との間には、Ｏリング５３が介在してシールが施されている。こうして、固定部２０は、ノズルジョイント５０を介して下部注水部１２に固定されている。
【００３１】
上記のように本実施形態では固定部２０が板状であるため、固定部２０が下部注水部１２に固定された状態で、ノズルジョイント５０の貫通孔は固定部２０により塞がれず水が十分に流れる隙間が形成されている。またこの状態において、整流器２の中棒部３０は、下部注水部１２のタンク本体１１内に向かう注水口１２Ｈの略中心に位置して、注水口１２Ｈの開口方向に延在するようにして、下部注水部１２からタンク本体１１内にわたる位置に固定される。こうして、中棒部３０の他方の端部３２はタンク本体１１内に位置する。この状態において、傘部４０はタンク本体１１内に位置し、上記のように開状態とされている。
【００３２】
このような貯液装置１００への下部注水部１２からの注水は次のように行われる。図３は、下部注水部１２からタンク本体１１内に注水を行う場合の水流を示す図である。ノズルジョイント５０に接続される図示せぬ冷水管から水がノズルジョイント５０に流れると、ノズルジョイント５０の貫通孔内における固定部２０とノズルジョイント５０の内壁との間から水が流れる。流れた水は下部注水部１２の注水口１２Ｈからタンク本体１１内に流れる。このとき、図３に示すように、中棒部３０が上記のように延在するため、中棒部３０は、下部注水部１２からタンク本体１１内に流れる水の流れの略中心に位置する。そして、流れた水は傘部４０により流れの方向が変えられて、水流の下部注水部１２からタンク本体１１内に向かう方向の勢いが抑制される。特に傘部４０は、上記のように、中棒部３０の長手方向に沿った断面において、中棒部３０と傘部４０とが鋭角となるように開いているため、傘部４０とタンク本体１１の壁面との間で、水流が渦を巻くように流れ、その一部が傘部４０の縁とタンク本体１１の壁面との隙間から傘部４０よりも上方に流れる。こうして傘部４０により、下部注水部１２から流れる水の勢いが抑制されるのである。
【００３３】
次に整流器２がタンク１に設置する様子について説明する。図４は、整流器２をタンク１に設置する途中の様子を示す図である。整流器２をタンク１に設置する場合、まず、整流器２の固定部２０をノズルジョイント５０に固定する。そして、中棒部３０の長手方向に垂直な方向に沿って中棒部に向かう力を傘部４０に加えて、傘部４０を第１閉状態とする。次に、図中矢印で示すように、第１閉状態とされた傘部４０を中棒部３０の他方の端部３２側から下部注水部１２の注水口１２Ｈに挿入する。傘部４０が注水口１２Ｈにある程度挿入されると、注水口１２Ｈの内壁により、傘部４０が広がることが防止されるため、傘部４０を閉状態をする力を加えなくとも良い。この状態が図４に示す状態である。或いは、傘部４０が開状態のまま、傘部４０を中棒部３０の他方の端部３２側から下部注水部１２の注水口１２Ｈに挿入しようとすれば、注水口１２Ｈの内壁に傘部４０が当接して、当該内壁から傘部４０に傘部４０が第１閉状態となる力が加えられる。従って、この場合にも傘部４０は第１閉状態となり、図４に示す状態となる。次に、図４に示す状態から、ノズルジョイント５０を注水口１２Ｈ内に押し込むと傘部４０が完全にタンク本体１１内に押し込まれる。傘部４０がタンク本体１１内に位置すると、傘部４０が下部注水部１２から離間するので、傘部４０が第１閉状態となる力が加えられなくなる。そして、傘部４０は自身の弾性力により開状態となる。その後、クイックファスナー５４を用いてノズルジョイント５０を下部注水部１２に固定して、図２に示すように整流器２がタンク１に設置される。
【００３４】
次に整流器２がタンク１から取り外される様子について説明する。図５は、整流器２をタンク１から取り外す途中の様子を示す図である。整流器２をタンク１から取り外す場合、まず、クイックファスナー５４を取り外してノズルジョイント５０の下部注水部１２への固定を解放する。次にノズルジョイント５０を下部注水部１２から引き抜き、ノズルジョイント５０を下部注水部１２から離れる方向に移動する。整流器２はノズルジョイント５０に固定されているため、ノズルジョイント５０の移動により中棒部３０が下部注水部１２の注水口１２Ｈから引き抜かれるように移動し、傘部４０も注水口１２Ｈに向かって移動する。このとき傘部４０は開状態であるため、中棒部３０の移動により傘部４０の縁がタンク本体１１の内壁に当接する。更に、ノズルジョイント５０が移動すると、タンク本体１１の内壁から傘部４０の縁に、中棒部３０の移動方向と逆方向の力が加えられる。この力は、中棒部３０の一方の端部３１から他方の端部３２に向かう方向の力である。この力により、傘部４０は、一旦最大限に広がり、その後、上記第１閉状態と反対側に閉じる状態をされる。更に、ノズルジョイント５０を移動させると、下部注水部１２の注水口１２Ｈの縁に傘部４０が当接して、当該縁から中棒部３０の一方の端部３１から他方の端部３２に向かう方向の力が加えられる。そして、第２閉状態とされる。この状態が図５に示す状態である。この状態まで進むと傘部４０には、中棒部３０の長手方向に垂直な方向に沿って中棒部３０に向かう力も加えられる。そして更にノズルジョイント５０を移動させて中棒部３０を引き抜くことで、整流器２は、タンク１から取り外される。この整流器２を取り外す過程において、傘部４０は開状態から第２閉状態に弾性変形をするため、損傷することが抑制されている。
【００３５】
以上説明したように、本実施形態の整流器２は、傘部４０が、中棒部３０の長手方向に垂直な方向に沿って中棒部３０に向かって加えられる力により他方の端部３２を基準として一方の端部３１側に閉じる第１閉状態と、中棒部３０に向かって加えられる力が解放されることで、中棒部３０の長手方向に沿った断面において、中棒部３０と傘部４０とが鋭角となるように開く開状態と、中棒部３０の一方の端部３１から他方の端部３２に向かう方向の力が傘部４０に加えられることで、他方の端部３２を基準として一方の端部３１側と反対側に閉じる第２閉状態と、に変形する。従って、傘部４０が第１閉状態とされた状態で、タンク１に設けられる下部注水部１２の注水口１２Ｈを通じて、中棒部３０の他方の端部３２側からタンク本体１１内に傘部４０を挿入することができ、整流器２をタンク１に設置することができる。また、中棒部３０を下部注水部１２の注水口１２Ｈから引き抜くことで、傘部４０を第２閉状態とすることができ、タンク本体１１内から傘部４０を抜き取ることができ、整流器２をタンク１から取り外すことができる。
【００３６】
従って、このような整流器２を用いる貯液装置１００はメンテナンスが容易である。
【００３７】
以上、本発明について、実施形態を例に説明したが、本発明はこれらに限定されるものではなく、適宜変更することができる。
【００３８】
例えば、上記実施形態では、傘部４０は、樹脂の弾性変形により、第１閉状態から開状態に変形し、更に、第２閉状態に変形するものとした。しかし本発明は、このような形態に限らず、例えば、傘部４０が弾性変形しない部材から構成されても良い。例えば、傘部が、複数の板材から構成され、それぞれの板材が互いにヒンジで結合されて、図２に示すような形状とされても良い。このとき、例えば、ばねにより第１閉状態から開状態に変形することとしても良い。
【００３９】
また、傘部４０が上記実施形態のように樹脂製の板材から成る場合であっても、必ずしも折り目が形成されていなくても良く、また、樹脂製の板材が正多角形とされていなくても良い。
【００４０】
また、上記実施形態では、固定部２０がノズルジョイント５０を介して下部注水部１２に固定されたが、固定部２０が直接下部注水部１２に固定されても良い。従って、上記実施形態の固定部の形状は一例にすぎず、適宜変更することができる。
【産業上の利用可能性】
【００４１】
以上説明したように、本発明によれば、タンクを解体することなく設置及び取り外しをすることができる整流器、及び、それを用いた貯液装置が提供され、貯湯システムや水以外の液体を貯液するシステムの分野に利用することができる。
【符号の説明】
【００４２】
１・・・タンク
２・・・整流器
１１・・・タンク本体
１２・・・下部注水部
１３・・・上部注水部
２０・・・固定部
３０・・・中棒部
４０・・・傘部
５０・・・ノズルジョイント
１００・・・貯液装置
【図１】
2015127551.tif 000003
【図２】
2015127551.tif 000004
【図３】
2015127551.tif 000005
【図４】
2015127551.tif 000006
【図５】
2015127551.tif 000007